(57)【要約】【課題】光波長多重通信ネットワーク、特にコストメリットを必要とする伝送システムに適するとともに、小型化に好都合な光分岐挿入装置を提供する。【解決手段】光伝送路と接続された第１、第２のコモンポート１１，１２と、任意の地点Ｃから送出させ第１コモンポート１１へ入力する波長多重信号光の中から特定波長信号光（λＤＲＯＰ）以外の信号光を第２のコモンポート１２へ出力する光合波分波器（通過手段）１３と、光伝送路２（２Ａ，２Ｂ）内を伝送する波長多重信号光から特定波長信号光（λＤＲＯＰ）を取出し光受信部３へ出力する光合波分波器（分岐手段）１３とを備える。また、特定信号波長光（λＤＲＯＰ）の光強度レベルが光受信部３の受光レベルとなるように減衰機能を有する固定光減衰器１６を、光合波分波器（分岐手段）１３と光受信部３との間に取付けてある。【選択図】  図１
2004274616.tif 000002
【特許請求の範囲】
【請求項１】
少なくとも異なる２地点間に設けた光伝送路内を伝送中の波長多重信号光のうち特定波長信号光を、前記２地点間の特定地点において前記波長多重信号光の中から選択的に分岐して取出し、前記特定地点に設ける光受信部へ出力させる光分岐装置であって、
前記特定地点で前記光伝送路と接続された第１、第２のコモンポートと、
前記２地点をふくむいずれかの地点から前記光伝送路を通じて送出させて伝送させ前記第１、第２コモンポートのうちいずれか一方へ入力する波長多重信号光の中から前記特定波長信号光以外の信号光を前記第１、第２のコモンポートのうちいずれか他方へ出力させる通過手段と、
前記光伝送路内を伝送させている前記波長多重信号光の中から前記特定波長信号光を選択的に分岐して取出し前記光受信部へ出力させる分岐手段とを備えるとともに、
前記分岐させた前記特定信号波長光の光強度レベルが前記光受信部で許容する受光レベルとなるように所定の減衰機能を有する選択された固定光減衰器を、前記分岐手段と前記光受信部との間に取付けてあることを特徴とする光分岐装置。
【請求項２】
前記固定光減衰器は、複数個のもので構成するとともに、隣り合うものどうしを互い違いで、かつ、交換可能に配置したことを特徴とする請求項１に記載の光分岐装置。
【請求項３】
少なくとも異なる２地点間に設けた光伝送路内を伝送中の波長多重信号光に対して、前記２地点間の特定地点に設ける光送信部から前記波長多重信号光とは異なる特定波長の信号光を出射し、前記特定波長の信号光を前記波長多重信号光と合波させる光挿入装置であって、
前記特定地点で前記光伝送路と接続された第１、第２のコモンポートと、
前記特定地点に設ける前記光送信部から出力された前記特定波長の信号光を取り込んで前記波長多重信号光と合波させる合波手段とを備えるとともに、
前記波長多重信号光が伝送される光伝送路へ挿入して前記特定波長の信号光を前記波長多重信号光と合波させる際に前記特定波長の信号光の光強度レベルが前記波長多重信号光の光強度レベルと合致するように所定の減衰機能を有する選択された固定光減衰器を、前記合波手段と光送信部との間に取付けてあることを特徴とする光挿入装置。
【請求項４】
前記固定光減衰器は、複数個のもので構成するとともに、隣り合うものどうしを互い違いで、かつ、交換可能に配置したことを特徴とする請求項３に記載の光挿入装置。
【請求項５】
異なる地点間に設けた光伝送路内を伝送中の波長多重信号光のうち特定波長信号光を特定地点において前記波長多重信号光の中から選択的に分岐して取出し前記特定地点に設けてある光受信部へ出力させるとともに、前記光伝送路内を伝送中の前記波長多重信号光に対して、前記特定地点に設けてある光送信部から前記波長多重信号光とは異なる特定波長の信号光を出射して前記特定波長信号光を前記波長多重信号光と合波させる光分岐挿入装置であって、
前記特定地点で前記光伝送路とそれぞれ接続された第１、第２のコモンポートと、
前記２地点をふくむいずれかの地点から前記光伝送路を通じて送出させて伝送させ前記第１、第２のコモンポートのうち少なくともいずれか一方へ入力する波長多重信号光の中から前記特定波長信号光以外の信号光を前記第１、第２のコモンポートのうちいずれか他方へ出力させる通過手段と、
前記光伝送路内を伝送させている前記波長多重信号光の中から前記特定波長信号光を選択的に分岐して取出し前記光受信部へ出力させる分岐手段と、
前記光送信部から出力された前記特定波長の信号光を取り込んで前記光伝送路内を伝送させている前記波長多重信号光と合波させる合波手段とを備えるとともに、
前記光伝送路内を伝送させている前記波長多重信号光の中から前記分岐手段で分岐させた前記特定信号波長光の光出力レベルが前記光受信部で許容する受光レベルとなるような所定の減衰機能を有する選択された第１の固定光減衰器を前記分岐手段と前記光受信部との間に設け、かつ、
前記波長多重信号光と前記光送信部から出力された前記特定波長の信号光とを前記合波手段で合波させる際に前記特定波長の信号光の光強度レベルが前記波長多重信号光の光強度レベルと合致するような所定の減衰機能を有する選択された第２の固定光減衰器を前記合波手段と前記光送信部との間に設けたことを特徴とする光分岐挿入装置。
【請求項６】
少なくとも、前記第１の固定光減衰器または第２の固定光減衰器は、複数個のもので構成するとともに、隣り合う前記第１の固定光減衰器どうしまたは隣り合う前記第２の固定光減衰器どうしを互い違いに、かつ、交換可能に配置したことを特徴とする請求項５に記載の光分岐挿入装置。
【発明の詳細な説明】
【０００１】
【発明の属する技術分野】
本発明は、光波長多重通信ネットワークなどの光通信システムに係り、特に特定波長の信号光を通過、分岐、及び挿入させることができる光分岐装置、光挿入装置及び光分岐挿入装置に関するものである。
【０００２】
【従来の技術】
従来、光分岐挿入装置として、光伝送路において一方向に伝送される波長多重信号光の中から特定波長信号光を分岐して、これを光受信器に入射させて情報を取り出すとともに、光送信器から出力される特定波長信号光を伝送路の同一方向に挿入するように構成されているものが知られている。
【０００３】
また、この光分岐挿入装置にあっては、この光分岐挿入装置と組み合わせて使用する光受信器に入力する信号光の光強度レベルを光受信器の許容する受光範囲に抑えて光受信器を保護するために、光減衰器（アッテネータ）を設置しており、こので光減衰器で光強度を調整するように構成されたものが知られている（例えば、特許文献１参照。）。
また、この特許文献１に記載の光分岐挿入装置では、同様に、光送信器から出力される特定波長信号光を伝送路の同一方向に挿入する際に、波長多重信号光の光レベルに合わせて調整するため、前述した光減衰器も備える構成となっている。
【０００４】
これについて、以下に図面を参照しながら具体的に説明する。
図５は、従来の光分岐挿入装置を示すものであり、この光分岐挿入装置１１０は、波長多重信号光が伝送される光伝送路１００の特定地点に設けた特定光分岐挿入フィルタ１０１と、この光分岐挿入フィルタ１０１により伝送中の波長多重信号光の中から特定波長の信号光（λｉ）を分岐させて特定地点に設置した光受信器１０２へ向けて出力させるために設けた特定波長信号光を導光する光伝送路１０３と、この光伝送路１０３上に設けた第１の可変光減衰器１０４と、特定地点に設置した光送信器１０５から特定光分岐挿入フィルタ１０１により特定波長信号光（λｊ）を挿入させて合波させるために設けた光伝送路１０６と、この光伝送路１０６上にそれぞれ設けた第２の可変光減衰器１０７などとを備えている。
【０００５】
ところで、このような光分岐挿入装置にあっては、光学素子であるＰＤ（Ｐｈｏｔｏ  Ｄｉｏｄｅ）またはＡＰＤ（Ａｖａｌａｎｃｈｅ  Ｐｈｏｔｏ  Ｄｉｏｄｅ）の保護のため、信号光の光強度を所定のレベルまで抑え込むために光減衰器として、通常、前述したような可変光減衰器を用いている。この可変光減衰器には、例えば、２枚の円板を互いに接近対向させて同軸状に同心配置すると共にこれらの円板を相対的に回転可能とした構成のものなどが知られており、具体的には、表面の周方向に沿って金属蒸着膜などの膜厚を連続的に変化させて成膜させた回転可能な透光性の円板と、一部のみに光が透過可能な透孔を設けた円板とを用いる構成のものなどが知られている。
【０００６】
【特許文献１】
特開２００１−１８６０８５号公報（第３頁左欄［００１０］、［００１０］図１）
【０００７】
【発明が解決しようとする課題】
ところで、このような従来の光分岐挿入装置にあっては、光減衰器として、通常、前述したような可変光減衰器を使用していることが多いが、この可変光減衰器は、前述したように機械的な構造のものであるからサイズが大きく、しかもコストがかさみ、低価格化が実現できない、という問題があった。
【０００８】
一方、このような光減衰器の中には、前述したような可変光減衰器のほかに、例えば所定の金属物質などを蒸着させ一定の減衰量を与えるようにした固定光減衰器なども知られている。
【０００９】
ところで、このような光分岐挿入装置により分岐させて取出そうとする各信号光は、勿論、この光分岐挿入装置の設置地点とは異なる別の地点から伝送されてくる訳であるが、必ずしも、各信号光は同一地点から同一伝送距離で送り出されてくるものではない。従って、この光減衰器の設置されている地点の光受信器に達するまでの信号光の減衰量も同一ではない。
一方、信号光を受光する光受信器については、本来有する適正な受光強度のレンジが一定に定められおり、信号光の光強度をこれに合わせて減衰・調整させることが必要となっているが、前述した事情から、各信号光の減衰量は、各信号光の伝送距離などによってまちまちである。
【００１０】
そこで、この光分岐挿入装置において光減衰器を設置する場合には、初めに、設置現場などにおいて、例えば伝送路内を伝送されてくる対象となる信号光の光強度などを計測するとともに、その測定された光強度から使用する光受信器の適正レンジまで光強度を減衰させるために光減衰器を初期調整するようになっている。
【００１１】
ところが、通常、このような光減衰器では、一旦初期調整を行えば、その後の調整作業は必要ないので、必ずしも前述した可変光減衰器を用いる必要はない。
【００１２】
また、近時、分岐挿入波長が各々単一ではなく、複数の波長を分岐・挿入するシステムが構築されている。このため、このように複数の波長の信号光を分岐・挿入する従来の分岐挿入波長装置にあっては、その分岐・挿入する波長の数（種類）だけさらに光減衰器を用意する必要があるので、前述の可変光減衰器を用いると一層コストメリットが見込まれない状況にある。
【００１３】
本発明は、これらの問題を解決するためになされたもので、光波長多重通信ネットワーク、特にコストメリットを必要とする伝送システムに適するとともに、小型化に好都合な光分岐装置、光挿入装置及び光分岐挿入装置を提供することを目的とする。
【００１４】
【課題を解決するための手段】
本発明の光分岐装置は、少なくとも異なる２地点間に設けた光伝送路内を伝送中の波長多重信号光のうち特定波長信号光を、前記２地点間の特定地点において前記波長多重信号光の中から選択的に分岐して取出し、前記特定地点に設ける光受信部へ出力させる光分岐装置であって、
前記特定地点で前記光伝送路と接続された第１、第２のコモンポートと、
前記２地点をふくむいずれかの地点から前記光伝送路を通じて送出させて伝送させ前記第１、第２コモンポートのうちいずれか一方へ入力する波長多重信号光の中から前記特定波長信号光以外の信号光を前記第１、第２のコモンポートのうちいずれか他方へ出力させる通過手段と、
前記光伝送路内を伝送させている前記波長多重信号光の中から前記特定波長信号光を選択的に分岐して取出し前記光受信部へ出力させる分岐手段とを備えるとともに、
前記分岐させた前記特定信号波長光の光強度レベルが前記光受信部で許容する受光レベルとなるように所定の減衰機能を有する選択された固定光減衰器を、前記分岐手段と前記光受信部との間に取付けてあることを特徴としている。
【００１５】
これにより、光減衰器に小型でコストが安い固定光減衰器を用いているので、光波長多重通信ネットワーク、特にコストメリットを必要とする伝送システムに適するとともに、小型化に好都合な光分岐装置を提供することができるようになる。
【００１６】
また、本発明の光分岐装置は、前記固定光減衰器を、複数個のもので構成するとともに、隣り合うものどうしを互い違いで、かつ、交換可能に配置したことを特徴としている。
【００１７】
これにより、固定光減衰器の着脱操作を治具を用いずに確実に行うことができるとともに、固定光減衰器の小型化が一層図られるので、光分岐装置のさらなる小型化が実現可能になる。
【００１８】
また、本発明の光挿入装置は、少なくとも異なる２地点間に設けた光伝送路内を伝送中の波長多重信号光に対して、前記２地点間の特定地点に設ける光送信部から前記波長多重信号光とは異なる特定波長の信号光を出射し、前記特定波長の信号光を前記波長多重信号光と合波させる光挿入装置であって、
前記特定地点で前記光伝送路と接続された第１、第２のコモンポートと、
前記特定地点に設ける前記光送信部から出力された前記特定波長の信号光を取り込んで前記波長多重信号光と合波させる合波手段とを備えるとともに、
前記波長多重信号光が伝送される光伝送路へ挿入して前記特定波長の信号光を前記波長多重信号光と合波させる際に前記特定波長の信号光の光強度レベルが前記波長多重信号光の光強度レベルと合致するように所定の減衰機能を有する選択された固定光減衰器を、前記合波手段と光送信部との間に取付けてあることを特徴としている。
【００１９】
これにより、光減衰器に小型でコストが安い固定光減衰器を用いているので、光波長多重通信ネットワーク、特にコストメリットを必要とする伝送システムに適するとともに、小型化に好都合な光挿入装置を提供することができるようになる。
【００２０】
さらに、本発明の光挿入装置は、前記固定光減衰器を、複数個のもので構成するとともに、隣り合うものどうしを互い違いで、かつ、交換可能に配置したことを特徴としている。
【００２１】
これにより、固定光減衰器の着脱操作を治具を用いずに確実に行うことができるとともに、固定光減衰器の小型化が一層図られるので、光挿入装置のさらなる小型化が実現可能になる。
【００２２】
さらに、本発明の光分岐挿入装置は、異なる地点間に設けた光伝送路内を伝送中の波長多重信号光のうち特定波長信号光を特定地点において前記波長多重信号光の中から選択的に分岐して取出し前記特定地点に設けてある光受信部へ出力させるとともに、前記光伝送路内を伝送中の前記波長多重信号光に対して、前記特定地点に設けてある光送信部から前記波長多重信号光とは異なる特定波長の信号光を出射して前記特定波長信号光を前記波長多重信号光と合波させる光分岐挿入装置であって、
前記特定地点で前記光伝送路とそれぞれ接続された第１、第２のコモンポートと、
前記２地点をふくむいずれかの地点から前記光伝送路を通じて送出させて伝送させ前記第１、第２のコモンポートのうち少なくともいずれか一方へ入力する波長多重信号光の中から前記特定波長信号光以外の信号光を前記第１、第２のコモンポートのうちいずれか他方へ出力させる通過手段と、
前記光伝送路内を伝送させている前記波長多重信号光の中から前記特定波長信号光を選択的に分岐して取出し前記光受信部へ出力させる分岐手段と、
前記光送信部から出力された前記特定波長の信号光を取り込んで前記光伝送路内を伝送させている前記波長多重信号光と合波させる合波手段とを備えるとともに、
前記光伝送路内を伝送させている前記波長多重信号光の中から前記分岐手段で分岐させた前記特定信号波長光の光出力レベルが前記光受信部で許容する受光レベルとなるような所定の減衰機能を有する選択された第１の固定光減衰器を前記分岐手段と前記光受信部との間に設け、かつ、
前記波長多重信号光と前記光送信部から出力された前記特定波長の信号光とを前記合波手段で合波させる際に前記特定波長の信号光の光強度レベルが前記波長多重信号光の光強度レベルと合致するような所定の減衰機能を有する選択された第２の固定光減衰器を前記合波手段と前記光送信部との間に設けたことを特徴としている。
【００２３】
これにより、光減衰器に小型でコストが安い固定光減衰器を用いているので、光波長多重通信ネットワーク、特にコストメリットを必要とする伝送システムに適するとともに、小型化に好都合な光分岐挿入装置を提供することができるようになる。
【００２４】
さらに、本発明の光分岐挿入装置は、少なくとも、前記第１の固定光減衰器または第２の固定光減衰器を、複数個のもので構成するとともに、隣り合う前記第１の固定光減衰器どうしまたは隣り合う前記第２の固定光減衰器どうしを互い違いに、かつ、交換可能に配置したことを特徴としている。
【００２５】
これにより、固定光減衰器の着脱操作を治具を用いずに確実に行うことができるとともに、固定光減衰器の小型化が一層図られるので、光分岐挿入装置のさらなる小型化が実現可能になる。
【００２６】
【発明の実施の形態】
以下、本発明の一実施の形態について、添付図面を参照しながら詳細に説明する。
図１は、本発明の実施の形態に係る光分岐挿入装置１の構成を示すものであり、この光分岐挿入装置１は、Ａ地点とＢ地点との間に敷設された光伝送路２Ａの途中の任意の地点Ｃに設置しており、同地点Ｃに設けた光受信部３及び光送信部４と接続されている。
また、本実施の形態の場合、この光分岐挿入装置１と光受信部３及び光送信部４とは、Ｃ地点にある地方放送局内に設置している。なお、この通信システムを適用する対象としては、特にこの実施の形態のような放送局間の通信に限定されるものではない。即ち、例えば銀行、会社、新聞社、電話局や中継局などの各種の施設や建物内部に設置して各種のシステムへの適用が可能である。
また、本実施の形態では、図２に示すように、Ａ地点を上層とする階層的な（ハイアラーキ）システム構造としてあるが、これに限定されるものではなく、階層構造を有しない互いに並列関係のシステム構造であっても構わない。
【００２７】
Ａ地点には、Ｃ地点での施設に設けてあるものと同様の光分岐挿入装置及び光受信部及び光送信部を設置するものであるが、Ａ地点でのこれらの設備機器は、キーとなる放送局内部に設置してある。
【００２８】
Ｂ地点にも、Ｃ地点の設備機器と同様の光分岐挿入装置及び複数の光受信部及び光送信部を設置しているが、このＢ地点での設備機器を設置する対象としても、例えば本実施の形態の場合、地方の放送局内部に設置してある。
【００２９】
そして、この光分岐挿入装置１には、図１に示すように、第１、第２のコモンポート１１および１２と、光合波分波器１３と、各光受信部３用の各光伝送路１４と、各光送信部４用の各光伝送路１５と、光合波分波器１３から各光受信部３への各光伝送路１４の途中に設けた送信用の第１の固定光減衰器１６と、各光送信部４から光分岐挿入フィルタ１３への光伝送路１５の途中に設けた受信用の第２の固定光減衰器１７とを備えている。
【００３０】
このうち、第１、第２のコモンポート１１，１２は、光分岐挿入装置１のハウジング１０の外面にそれぞれ設置した適宜の光コネクタ、例えば単心のシングルモード光ファイバ用のＳＣ型（例えば、ＪＩＳ  Ｆ０４型など）コネクタなどで構成されている。なお、この光コネクタとしては、勿論、これ以外に各種のもの、例えばＦＣ型や多心用のＭＴ型その他のものが適宜に適用可能である。
また、本実施の形態では、これらの第１、第２のコモンポート１１，１２は、分岐挿入装置１のハウジング１０の外面において、互いに対向する反対位置に分離して設置させているが、ハウジング１０内に引き回す光伝送路２Ｃである光ファイバを所定の曲率半径で予長処理した状態で収納させることにより、２連上下配置するなどの構成として、まとめて１箇所に設置してもよい。
【００３１】
光合波分波器（光ブランチングデバイス）１３は、これら第１、第２のコモンポート１１，１２に入力或いは出力する波長多重信号光の分波（分岐）及び合波（挿入）を行うものである。本実施の形態では、この光合波分波器１３には、ハウジング１０内に伝送路２Ｃとして設けた石英系の光ファイバにおいて、波長分割多重（ＷＤＭ；Ｗａｖｅｌｅｎｇｔｈ  Ｄｉｖｉｓｉｏｎ  Ｍｕｌｔｉｐｌｅｘｉｎｇ）方式で伝送されてくるファイバ損失の少ない１．３μｍ帯や１．５５μｍ帯などの近赤外光（波長多重信号光）の中から特定波長信号光（λＤＲＯＰ）を選択的に分岐して取出し光受信部３へ向けて出力させる図示外の光分波器（光デマルチプレクサ）と、光送信部４から出力された特定波長の信号光（λＡＤＤ）を取り込んで波長多重信号光と合波させる図示外の光合波器（光マルチプレクサ）などとを備えている。
【００３２】
この光分波器や光合波器には、例えば本実施の形態では、波長選択性のある誘電体多層膜からなる干渉膜フィルタや方向性結合器としての融着型光ファイバカプラなどを用いており、低損失でアイソレーションの良好な構成となっているが、これ以外に、例えば回折格子（グレーティング）、プリズム、その他の適宜の手段が適用可能である。なお、この光分波器は、分波すべき特定波長信号光（λＤＲＯＰ）の種類と同数設置されており、光合波器も、合波すべき特定波長の信号光（λＡＤＤ）の種類と同数設置されている。
【００３３】
光伝送路１４には、光伝送路２Ｃである光ファイバと同様に、例えば単心のシングルモード光ファイバが分波すべき特定波長信号光（λＤＲＯＰ）の種類と同数配設されており、特にＡ地点のある上り方向からの信号光を取り出せるようにするため、所定方向に向けて湾曲されて各光分波器と接続されている。
また、光伝送路１５も同様の構成のものが合波すべき特定波長の信号光（λＡＤＤ）の種類と同数配設されており、Ａ地点のある上り方向へ向けて信号光を送り出せるようにするため、所定方向に向けて湾曲されて各光合波器と接続されている。
【００３４】
光受信部用の第１の固定光減衰器１６は、光伝送路２Ｃ内を伝送させている波長多重信号光の中から分岐させる各特定信号波長光（λＤＲＯＰ）の光出力レベルが各光受信部３で許容する受光レベル範囲内となるように各特定信号波長光（λＤＲＯＰ）の光出力を減衰させるものであり、光合波分波器１３と光受信部３とを接続する各光伝送路１４の途中に設けている。このため、光合波分波器１３から分岐された各特定信号波長光（λＤＲＯＰ）は、システムとして立ち上げる初期段階の時期に、一度、各光伝送路１４の途中に光パワーメータを取付けて光出力レベルを計測するようになっている。
【００３５】
この第１の固定光減衰器１６には、本実施の形態では、波長依存性を持たせないようにするため、換言すれば各波長の信号光に対して一定の減衰機能を発揮できるようにするため、例えばガラス基板上に、ニッケル（Ｎｉ）とクロム（Ｃｒ）の化合物などを組成とする金属膜を蒸着させた構成となっている。なお、この固定光減衰器１６としては、勿論、本実施の形態のものに限定されるものではなく、例えば減衰すべき信号光として固有波長のものに限定する場合には、波長依存性のある減衰器として干渉膜フィルタ（誘電体多層膜）を成膜させてもよい。
【００３６】
光送信部用の第２の固定光減衰器１７は、波長多重信号光が伝送される各光伝送路２Ｃへ挿入して合波させる特定波長信号光の光強度レベルが波長多重信号光の光強度レベルと等しくなるように特定波長の信号光（λＡＤＤ）の光強度レベルを各々減衰させるものであり、光送信部４から光合波分波器１３への光伝送路の途中に設けている。このため、この第２の固定光減衰器１７についても、光送信部４からから出射された各特定波長の信号光（λＡＤＤ）は、システムとして立ち上げる初期段階の時期に、一度、各光伝送路１５の途中に光パワーメータを取付けて光出力レベルを計測するようになっている。
【００３７】
この第２の固定光減衰器１７も、第１の固定光減衰器１６と同様に、波長依存性を付与しないようにするため、誘電体多層膜の使用を避けて金属膜を蒸着させた構成となっている。なお、この固定光減衰器１７としても、勿論、本実施の形態のものに限定されるものではなく、例えば減衰すべき信号光として特定波長のものに限定する場合には、波長依存性のある減衰器として干渉膜フィルタ（誘電体多層膜）を成膜させてもよい。
【００３８】
光受信部３は、光合波分波器１３から分岐された特定波長信号光（λＤＲＯＰ）を受信して情報を取り出するものであり、ＰＤまたはＡＰＤが用いられており、分波すべき特定波長信号光（λＤＲＯＰ）の種類と同数設置されている。
【００３９】
光送信部４は、特定波長の信号光（λＡＤＤ）を前述した光伝送路２Ｃ内を伝送させる波長多重信号光と合波（挿入）させるために光合波分波器１３へ向けて前述の特定波長の信号光（λＡＤＤ）を送出するものであり、ＬＥＤ（Ｌｉｇｈｔ  Ｅｍｉｔｔｉｎｇ  Ｄｉｏｄｅ）またはＬＤ（Ｌａｓｅｒ  Ｄｉｏｄｅ）が用いられており、合波すべき特定波長の信号光（λＡＤＤ）の種類と同数設置されている。
【００４０】
次に、本発明の実施の形態に係る光分岐挿入装置１に備えた第１の光固定減衰器５及び８の具体的な配置構成について、図３を参照しながら詳細に説明する。なお、本実施の形態では、受信側の第１の光固定減衰器１６について説明するが、送信側の第２の固定減衰器１７についても同様の構成のものであり、同様の配置構成が適用される。
【００４１】
第１の固定光減衰器１６は、本実施の形態の場合、４組のものから構成されており、各光伝送路１４を介して光合波分波器１３と接続された左右一対のＳＣコネクタプラグ１６Ａ，１６Ｂと、これらのＳＣコネクタプラグ１６Ａ，１６Ｂの間に挿入する固定光減衰器用の素子本体１６Ｃと、この固定光減衰器本体１６Ｃを着脱自在に介在させてこれらのＳＣコネクタプラグ１６Ａ，１６Ｂを同心状に突き合わせるＪＪコネクタ（アダプタ）１６Ｄとを備えている。
【００４２】
このうち、ＪＪコネクタ（アダプタ）１６Ｄは、中央部に側方へ突出するフランジ１６１を設けており、このフランジ１６１にはねじ孔を設けている。即ち、このＪＪコネクタ（アダプタ）１６Ｄは、互いに隣接する隣どうしのものをフランジ１６１の厚さ（ｄ）だけずらして配置させるようになっており、このようにずらした状態のまま、互いのフランジ１６１に設けたねじ孔を一体に貫通するようにビス（小ねじ）１６２などを取り付けて隣同士のＪＪコネクタ（アダプタ）１６Ｄを一体に固定させている。
【００４３】
このように配置させることにより、ＳＣコネクタプラグ１６Ｂの隣同士のものが、配列（短手）方向について一定間隔（Ｄ）だけ確保できるとともに、軸（長手）方向について互いに距離Ｌだけずれて配置されるので、減衰量の調整のために素子本体１６Ｃを交換させる場合、指の挿入及び抜き差し操作のためのスペースが確保できる。
【００４４】
従って、本実施の形態によれば、図３に示すように、４組の固定光減衰器１６をハウジング１０内部に設置する場合、ＪＪコネクタ（アダプタ）１６Ｄをその長手方向に距離ｄだけずらして、互い違いの配置（非対称）関係で設置することにより、専用の治具を用いずに、全てのプラグを容易に手作業で着脱することができる。
即ち、このようにＪＪコネクタ（アダプタ）１６Ｄを互い違いに配置することで、ＪＪコネクタ（アダプタ）１６Ｄがコンパクトな最小間隔に隣接した状態であっても、ＪＪコネクタ（アダプタ）１６Ｄの間に指を差し込んでＳＣコネクタプラグ１６Ｂを把持し、これを抜き差しすることができる。
【００４５】
次に、以上のように構成された本実施の形態に係る光分岐挿入装置１の動作について説明する。
（Ｉ）ＡからＣへの情報送信の場合：
この光分岐挿入装置１において、Ａ地点のキー放送局側から光伝送路２Ａを伝送されてきた各波長多重信号光は、Ｃ地点の地方放送局内に設けてある光合波分波器１３において、複数箇所設けた光分波器（光デマルチプレクサ）で最大４波の特定波長信号光（λＤＲＯＰ）に分岐され、各光伝送路１４を介して同じＣ地点の地方放送局内に設けてある光受信部３へ伝送させる。
【００４６】
また、この光合波分波器１３から各光受信部３まで配線してある各光伝送路１４の途中には、それぞれ第１の固定光減衰器１６が設けてあり、この第１の固定光減衰器１６により、各特定波長信号光（λＤＲＯＰ）は、光受信部３の受光レベル範囲内となるように各々減衰させてから、各光受信部３へ入力する。
【００４７】
これにより、Ａ地点のキー放送局から送り出された情報をＣ地点の放送局で安全に、つまり、各光受信部３の信号光を受光する際に許容レベルの光強度で受け取ることができるので、各光受信部３が信号光により破損・損傷（焼損）するのを防止できる。
【００４８】
（ＩＩ）ＣからＡへの情報送信の場合：
一方、Ｃ地点の地方放送局内に設けてある各光送信部４からＡ地点のキー放送局側へ送り出そうとする所望の情報に応じた特定波長の信号光（λＡＤＤ）は、光伝送路１５から光合波分波器１３へ送出し、光伝送路２Ｂから伝送されてくる波長多重信号光と合波させる際に、光伝送路１５の途中に設けた第２の固定光減衰器１７で減衰させ、波長多重信号光と同レベルに光強度を調整する。
【００４９】
これにより、Ｃ地点の放送局から送信された情報は、光伝送路２Ａを伝送されＡ地点のキー放送局で安全に受信することができる。つまり、Ａ地点のキー放送局内に設けた光受信部で特定波長の信号光（λＡＤＤ）を受光する際に、許容レベルの光強度で受け取ることができるので、その光受信部が特定波長の信号光（λＡＤＤ）により破損・損傷（焼損）するのを防止できる。
【００５０】
（ＩＩＩ）Ｃ地点からＢ地点への情報送信の場合：
このような情報送信を行う場合には、図１に示すような本実施の形態の通信配線では、光伝送路２Ａ，２Ｂと光伝送路１５との接続関係により、Ｃ地点からＢ地点へダイレクトに送信することができないので、一旦、Ａ地点を中継するような送信経路で、即ち、Ｃ．Ａ．Ｂのルートで情報通信を行うことができる。
【００５１】
このような送信ルートでは、特定波長の信号光（λＡＤＤ）がＣ地点の光合波分波器１３を単に通過（ＰＡＳＳ）させるように、つまり、各光分波器（光デマルチプレクサ）で分岐されないようになっている。そのため、ここで使用する特定波長の信号光（λＡＤＤ）には、各光分波器（光デマルチプレクサ）での分波対象となる波長、即ち、特定波長信号光（λＤＲＯＰ）とは異なる波長のものを用いるようになっている。
【００５２】
また、同様のルートを利用することにより、Ｂ地点からＣ地点への情報送信についても、Ｂ．Ａ．Ｃのルートで情報通信を行うことができる。
【００５３】
以上のように構成された本実施の形態に係る光分岐挿入装置において、その様々な態様について、図４を参照しながら説明する。
（１）光分岐装置に変更させる場合：
同図（Ａ）に示すように、例えば、Ａ地点の本社からＢ地点及びＣ地点の各支社へ一方向に情報通信を行う（下り専用とする）ような場合には、Ｃ地点の支社に設置する光合波分波器１３の第１のコモンポート１１及び第２のコモンポート１２は、ぞれぞれ、波長多重信号光の入力側及び出力側として限定する。
一方、Ｃ地点の支社に設置する光合波分波器１３には、複数箇所設けてある図示外の光分波器（光デマルチプレクサ）に接続させた光伝送路１４の途中に、第１の固定光減衰器１６を設けるが、光合波器（光マルチプレクサ）には光伝送路１５及び第２の固定光減衰器１７を設けない構成となっている。
【００５４】
また、同図（Ａ）に示すように、Ｃ地点において、（特定波長信号光の）波長については、λＤＲＯＰ≠λＡＤＤである。これは、光の干渉などの理由により、同一伝送路中に同一波長の信号光は伝送できないからである。そのため、Ｃ地点の光送信部４からの挿入信号光がある場合、その挿入信号光の波長は他で使用できない。即ち、Ａ地点からＢ地点もしくはＡ地点からＣ地点に送信する信号光にこの波長は使用できないものである。
これにより、Ａ地点の本社に対してＣ地点の支社で受信専用の通信システムを構築した際、挿入信号光による波長の制約を受けないため、その分だけより多くの信号光を受信することができる。
従って、このように構築することで、光合波分波器１３を光分岐装置に変更させることができ、特に映像配信のような一方通信のみを必要とする際に有効活用できる。
【００５５】
（２）光挿入装置に変更させる場合：
次に、同図（Ｂ）に示すように、例えば、Ｂ地点及びＣ地点の各支社からＡ地点の本社へ一方向に情報通信を行う（上り専用とする）場合には、Ｃ地点の支社に設置する光合波分波器１３の第１のコモンポート１１及び第２のコモンポート１２は、ぞれぞれ、波長多重信号光の出力側及び入力側として限定する。
一方、Ｃ地点の支社に設置する光合波分波器１３には、複数箇所設けてある図示外の光分波合波器（光マルチプレクサ）に接続させた光伝送路１５の途中に、第２の固定光減衰器１７を設けるが、光合波分波器（光デマルチプレクサ）には光伝送路１４及び第１の固定光減衰器１６を設けない構成となっている。
【００５６】
また同図（Ｂ）に示すように、Ｃ地点において、（特定波長の信号光の）波長については、λＤＲＯＰ≠λＡＤＤ，λｎ≠λＡＤＤである。前述したように、これは光の干渉などの理由により、同一伝送路中に同一波長の信号光は伝送できないからである。そのため、Ａ地点から送信されＣ地点での分岐信号光がある場合、その分岐信号光の波長は他で使用できない。即ち、Ｃ地点からＡ地点に向かって送信する信号光にこの波長は使用できないものである。
これにより、Ａ地点の本社に対して、Ｃ地点及びＢ地点の支社で送信専用の通信システムを構築した場合、分岐信号光による波長の制約を受けないため、その分だけより多くの信号光を送信することができる。ただし、Ｃ地点からＡ地点に向かって送信される信号光の波長と、Ｂ地点からＡ地点に向かって送信される信号光の波長も同様に同一ではない。
従って、このように構成することで、光分波合波器１３を光挿入装置に変更させることができ、特に映像配線のような一方向通信のみを必要とする際に，有効活用できる。
【００５７】
また、Ａ，Ｂ，Ｃが前述したような階層的な構造ではなく、互いに階層関係を有しない並列的な関係の場合、本実施形態に係る光合波分波器１３と同様な構成のものを複数組用いて適宜に組み合わせることで、途中に別の地点を経由することなく、互いにダイレクトに接続させて送受信可能な通信システムを実現することができる。
【００５８】
さらに、前述したようなネットワークを敷衍させることにより、スター型のネットワーク（スターネットワークトポロジー）を構築することも可能となる。
【００５９】
【発明の効果】
以上説明したように、本発明の光分岐装置は、特定地点で光伝送路と接続された第１、第２のコモンポートと、２地点をふくむいずれかの地点から光伝送路を通じて送出させて伝送させ第１、第２コモンポートのうちいずれか一方へ入力する波長多重信号光の中から特定波長信号光以外の信号光を第１、第２のコモンポートのうちいずれか他方へ出力させる通過手段と、光伝送路内を伝送させている波長多重信号光の中から特定波長信号光を選択的に分岐して取出し光受信部へ出力させる分岐手段とを備えるとともに、分岐させた特定信号波長光の光強度レベルが光受信部で許容する受光レベルとなるように所定の減衰機能を有する選択された固定光減衰器を、分岐手段と光受信部との間に取付けてある。
【００６０】
従って、本発明によれば、光減衰器に小型でコストが安い固定光減衰器を用いているので、光波長多重通信ネットワーク、特にコストメリットを必要とする伝送システムに適するとともに、小型化に好都合な光分岐装置を提供することができる。
【図面の簡単な説明】
【図１】本発明の実施の形態に係る光分岐挿入装置を示す構成ブロック図である。
【図２】本発明の実施の形態に係る光分岐挿入装置を用いて構築する通信ネットワーク（トポロジー）を示す説明図である。
【図３】本発明の実施の形態に係る光分岐挿入装置の固定光減衰器の構造を示す概略構成図である。
【図４】図１に示す光分岐挿入装置を用いた各種の態様を示すものであり、（Ａ）は光分岐装置、（Ｂ）は光挿入装置を示す概略構成図である。
【図５】従来の光分岐挿入装置を示す概略構成図である。
【符号の説明】
１      光分岐挿入装置
１０    ハウジング
１１，１２
第１、第２のコモンポート
１３    光合波分波器（通過手段、合波手段、分波手段）
１４    光伝送路
１５    光伝送路
１６    第１の固定光減衰器（光送信部用）
１６Ａ，１６Ｂ
ＳＣコネクタプラグ
１６Ｃ  固定光減衰器用の素子本体
１６Ｄ  ＪＪコネクタ（アダプタ）
１６１  フランジ
１６２  ビス（小ねじ）
１７    第２の固定光減衰器（光受信部用）
２Ａ，２Ｂ，２Ｃ
光伝送路
３      光受信部
４      光送信部
λＡＤＤ  特定波長の信号光（挿入用）
λＤＲＯＰ  特定波長信号光（分波用）
【図１】
2004274616.tif 000003
【図２】
2004274616.tif 000004
【図３】
2004274616.tif 000005
【図４】
2004274616.tif 000006
【図５】
2004274616.tif 000007